(57)【特許請求の範囲】
【請求項１】
フレーズデータが格納された記憶手段と、音声信号を入力して音声認識を行ってフレーズデータを出力する音声認識手段と、電話相手先がモデムか否かを判断し、モデムでないと判断したときには回線入力信号を音声認識手段に与える判定手段と、音声認識手段からのフレーズデータと記憶手段に格納されているフレーズデータとを比較して登録された音声ガイダンスか否かを判断する音声ガイダンス判定手段と、登録された音声ガイダンスであると判断したときに回線切断処理を自動実行する自動回線切断手段と、を備えたことを特徴とするディジタル放送受信装置。
【請求項２】
音声信号を入力して音声認識を行ってフレーズデータを出力する音声認識手段と、電話相手先がモデムか否かを判断し、モデムでないと判断したときには回線入力信号を音声認識手段に与える判定手段と、音声認識手段からのフレーズデータを文字化して画面表示する手段と、利用者による回線断指令に基づいて回線切断処理を実行する手動回線切断手段と、を備えたことを特徴とするディジタル放送受信装置。
【請求項３】
フレーズデータが格納された記憶手段と、音声信号を入力して音声認識を行ってフレーズデータを出力する音声認識手段と、電話相手先がモデムか否かを判断し、モデムでないと判断したときには回線入力信号を音声認識手段に与える判定手段と、音声認識手段からのフレーズデータと記憶手段に格納されているフレーズデータとを比較して登録された音声ガイダンスか否かを判断する音声ガイダンス判定手段と、登録された音声ガイダンスであると判断したときに回線切断処理を自動実行する自動回線切断手段と、登録された音声ガイダンスでないと判断したときに音声認識手段からのフレーズデータを文字化して画面表示する手段と、利用者による回線断指令に基づいて回線切断処理を実行する手動回線切断手段と、を備えたことを特徴とするディジタル放送受信装置。
【請求項４】
請求項１又は請求項３に記載のディジタル放送受信装置において、音声認識手段からのフレーズデータが記憶手段に登録されていない場合に、音声認識手段からのフレーズデータを文字化して画面表示し、この表示しているフレーズデータを新規登録するか否かを利用者に問い、利用者が登録操作を行ったときに音声ガイダンスのフレーズデータとして新規登録するように構成したことを特徴とするディジタル放送受信装置。
【発明の詳細な説明】
【０００１】
【産業上の利用分野】
この発明は、モデムを搭載して双方向サービスを行うことができるディジタル放送受信装置に関する。
【０００２】
【従来の技術】
例えば、衛星を用いたディジタル放送受信システムにおいては、ディジタル信号圧縮技術を用いて映像・音声信号を圧縮するとともに、複数番組の映像・音声ディジタル信号を時分割多重したストリーム（トランスポートストリーム）をトランスポンダ（衛星中継器）を経由して放送を行っている。
【０００３】
一方、このようなディジタル放送を受信する放送受信装置は、専用のアンテナを通して受け取ったディジタル放送の複数のトランスポンダのなかから一つをチューナによって選択し、この一つのトランスポンダに含まれる複数のチャンネルのうち一つをデマルチプレクス処理によって選択し、この選択したチャンネルのディジタル信号をデコードすることによって映像・音声信号を出力するようになっている。更に、このディジタル放送受信装置は、課金情報や双方向サービスに対応するためにモデムを搭載している。双方向サービスを利用する視聴者参加番組には、アンケート番組やクイズ番組などがあり、これら番組において、「ＹＥＳ」や「ＮＯ」の意志を放送提供者側に伝えるために、画面上には「ＹＥＳ」と「ＮＯ」の文字が表示され、そのいずれかをリモコン操作によって選択・決定すると、「ＹＥＳ」と「ＮＯ」用に二つ用意された電話番号のいずれかに自動的に電話をかける処理が行われる。そして、放送局の電話機側では例えば「受け付けました」といったフレーズの音声ガイダンスを流すようにしており、放送受信装置のモデムは以下に示す処理の後に回線断処理を実行するようにしている。例えば、放送局の電話機側では音声ガイダンスの後に受話器を下ろすことに相当する処理を実行するため、このときにビジー音（話中音）が発生することになり、放送受信装置はこのビジー音を検出して回線断処理を行うか、或いは、モデムに極性反転回路を内蔵し、放送局の電話機側が受話器を上げることに相当する処理を行ったときに生じる極性反転を検出し、所定時間経過後に回線断処理を行う。
【０００４】
【発明が解決しようとする課題】
しかしながら、上記ビジー音を検出して回線断処理を行う方式では、放送局の電話機側が受話器を下ろすことに相当する処理を実行するまで回線断が行えず、比較的長い間、電話回線を使用できないことが生じる。一方、モデムに極性反転回路を内蔵する構成では、以下のような問題がある。すなわち、放送受信装置が備えるモデムは今後低速のもの（２４００ｂｐｓ）から高速のもの（５６Ｋｂｐｓ）へと高機能化して各種の高度なサービスに対応できるようになるであろうし、また、モデムの小型化が進められていくであろうと考えられ、このような高速化・小型化のためには極性反転回路を省略してチップ化が進み、極性反転回路を外付けするにも困難を伴うと考えられる。
【０００５】
この発明は、上記の事情に鑑み、極性反転回路を搭載しないモデムを用いつつ比較的短い時間で放送局側の電話機との間での電話確認後の回線断処理が行えるディジタル放送受信装置を提供することを目的とする。
【０００６】
【課題を解決するための手段】
この発明のディジタル放送受信装置は、上記の課題を解決するために、フレーズデータが格納された記憶手段と、音声信号を入力して音声認識を行ってフレーズデータを出力する音声認識手段と、電話相手先がモデムか否かを判断し、モデムでないと判断したときには回線入力信号を音声認識手段に与える判定手段と、音声認識手段からのフレーズデータと記憶手段に格納されているフレーズデータとを比較して登録された音声ガイダンスか否かを判断する音声ガイダンス判定手段と、登録された音声ガイダンスであると判断したときに回線切断処理を自動実行する自動回線切断手段と、を備えたことを特徴とする。
【０００７】
上記の構成であれば、例えば「受け付けました」といった音声ガイダンスが登録されているとし、放送局の電話機側で「受け付けました」といったフレーズの音声ガイダンスを流したとすると、この音声ガイダンスの音声を回線入力した時点で回線断処理を行うことができ、放送局の電話機側で受話器を下ろすことに相当する処理を実行する前に電話機を使用できる状態とすることができる。
【０００８】
また、この発明のディジタル放送受信装置は、音声信号を入力して音声認識を行ってフレーズデータを出力する音声認識手段と、電話相手先がモデムか否かを判断し、モデムでないと判断したときには回線入力信号を音声認識手段に与える判定手段と、音声認識手段からのフレーズデータを文字化して画面表示する手段と、利用者による回線断指令に基づいて回線切断処理を実行する手動回線切断手段と、を備えたことを特徴とする。
【０００９】
上記の構成であれば、放送局の電話機側で「受け付けました」といったフレーズの音声ガイダンスを流したとすると、この音声ガイダンスの文字が放送受信装置のディスプレイに表示されることになり、ユーザーはこのガイダンス文字を見て回線断指令を出すことができ、放送局の電話機側で受話器を下ろすことに相当する処理を実行する前に電話機を使用できる状態とすることができる。
【００１０】
また、この発明のディジタル放送受信装置は、フレーズデータが格納された記憶手段と、音声信号を入力して音声認識を行ってフレーズデータを出力する音声認識手段と、電話相手先がモデムか否かを判断し、モデムでないと判断したときには回線入力信号を音声認識手段に与える判定手段と、音声認識手段からのフレーズデータと記憶手段に格納されているフレーズデータとを比較して登録された音声ガイダンスか否かを判断する音声ガイダンス判定手段と、登録された音声ガイダンスであると判断したときに回線切断処理を自動実行する自動回線切断手段と、登録された音声ガイダンスでないと判断したときに音声認識手段からのフレーズデータを文字化して画面表示する手段と、利用者による回線断指令に基づいて回線切断処理を実行する手動回線切断手段と、を備えたことを特徴とする。
【００１１】
上記の構成であれば、例えば「受け付けました」といった音声ガイダンスが登録されているとし、放送局の電話機側で「受け付けました」といったフレーズの音声ガイダンスを流したとすると、この音声ガイダンスの音声を回線入力した時点で回線断処理を行うことができ、放送局の電話機側で受話器を下ろすことに相当する処理を実行する前に電話機を使用できる状態とすることができる。一方、登録されていないフレーズの音声ガイダンスが回線入力されたとすると、この音声ガイダンスの文字が画面表示されることになり、ユーザーはこのガイダンス文字を見て回線断指令を出すことができ、放送局の電話機側で受話器を下ろすことに相当する処理を実行する前に電話機を使用できる状態とすることができる。
【００１２】
音声認識手段からのフレーズデータが記憶手段に登録されていない場合に、音声認識手段からのフレーズデータを文字化して画面表示し、この表示しているフレーズデータを新規登録するか否かを利用者に問い、利用者が登録操作を行ったときに音声ガイダンスのフレーズデータとして新規登録するのがよい。
【００１３】
【発明の実施の形態】
以下、この発明の実施形態を図１乃至図５に基づいて説明するが、ここではユーザがＢＳ（Ｂｒｏａｄｃａｓｔｉｎｇ  Ｓａｔｅｌｌｉｔｅ）ディジタル放送を受信する場合を例示している。
【００１４】
図１はＢＳディジタル放送を受信するこの実施形態のディジタル放送受信装置３０を示したブロック図であり、図２はこのディジタル放送受信装置３０において双方向サービスを実行する場合の放送局３１側（課金情報などを受けるセンターを含む）との回線経路（電話線３３，交換局３４等）を模式的に示した説明図である。
【００１５】
図１において、アンテナ１は、屋外において所定の方向に向けて配置されており、ＢＳから送られてくるディジタル放送信号を受信する。このアンテナ１は、一般に周波数変換器を備え、受信／周波数変換した信号をチューナ２に与えるようになっている。
【００１６】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１７】
デマルチプレクサ３は、トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。そして、デマルチプレクサ３は、ビデオストリームとオーディオストリームをＡＶデコーダ４に供給し、ＰＳＩ／ＳＩをＣＰＵ１３に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００１８】
ＡＶデコーダ４は、前記ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１９】
映像処理回路５は、ＡＶデコーダ４から映像データを受け取ってＤ／Ａ変換を行い、例えばコンポジット映像信号に変換する。音声信号処理回路６は、ＡＶデコーダ４から出力された音声データを受け取ってＤ／Ａ変換を行い、例えば右（Ｒ）音のアナログ信号および左（Ｌ）音のアナログ信号を生成する。
【００２０】
映像出力回路７及び音声出力回路８は出力抵抗や増幅器等を備えて成る。ＡＶ出力端子９には出力部（左右音声出力端子等や映像出力端子等のセット）が設けられており、この出力部には、映像／音声コード１７によって受像管１６ａ及びスピーカ１６ｂを備えるモニタ１６が接続される。
【００２１】
ＯＳＤ（オンスクリーンディスプレイ）回路１２は、ＣＰＵ１３から出力指示された文字情報や色情報に基づく映像データを生成して加算器２０に出力する。加算器２０は前記映像データをＡＶデコーダ４から出力される受信映像データに組み込む処理を行う。ＯＳＤ回路１２により、ＣＰＵ１３が受け取った前述のＰＳＩ／ＳＩに含まれるサービス情報に基づくＥＰＧ（Ｅｌｅｃｔｒｏｎｉｃ  Ｐｒｏｇｒａｍ  Ｇｕｉｄｅ）画面表示が実現される。また、このＯＳＤ回路１２により、図３に示すように、電話回線の切断方法の設定入力画面も表示されるようになっている。
【００２２】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。このリモコン送信機１０を用いることで、上記図３に示した設定入力画面上で「自動切断」と「表示後ユーザー切断」のいずれかを選択することができる。リモコン受光器１１は、前記信号光を受光し、これを電気信号に変換してＣＰＵ１３に与える。
【００２３】
記憶部１４は、半導体メモリ１４ａ及びハードディスク１４ｂから成る。この実施形態では、ハードディスク１４ｂに音声ガイダンスのフレーズデータが登録されている。また、半導体メモリ（例えば、ＥＥＰＲＯＭ等）１４ａには、番組情報（番組開始時刻、番組継続時間、チャンネル番号等）やユーザーによる設定情報（自動切断ｏｒ手動切断など）が格納される。
【００２４】
ＩＣカード２１Ａは、有料放送を視聴可能にするための鍵情報や番組毎に課金対象となるＰＰＶ（ペイ・パー・ビュー）番組の購入履歴情報などを格納する。ＣＡモジュール２１は、ＣＰＵ１３とＩＣカード２１Ａとの間で諸情報の書き込み処理や読み出し処理を行う。
【００２５】
モデム２２は、定期的に課金情報の伝送を行うとき等のダイヤルアップ接続においてＣＰＵ１３の制御の下で動作する。また、双方向サービスを利用する際に放送局側へ電話をかけるのにも利用される。そして、この電話をかけたときにはキャリア信号の有無を判断し、キャリア信号が存在すればモデム本来の処理を実行するが、キャリア信号が存在しないときには一般電話と判断して回線入力音声信号をスピーカー出力端子から音声認識回路２３に与える処理を行う。なお、このモデム２２としては極性反転回路を搭載していないものを用いている。
【００２６】
音声認識回路２３は、モデム２２から回線入力音声信号を受け取ると、この音声信号を処理することによって音声認識を行う。音声認識の手法としては、特定話者に適した処理と不特定話者に適した処理とがあるが、この発明においては不特定音声ガイドについて音声認識を行うので、不特定話者に適した音声認識処理を採用することとする。
【００２７】
ＣＰＵ１３は、リモコン送信機１０などを用いたユーザーによる選局等の処理を行う。そして、この発明に係る処理として、双方向サービスを利用した後の回線断制御を行う。
【００２８】
図４は双方向サービスの利用するときの処理内容を示したフローチャートである。この双方向サービスにおいては、利用者が画面に表示された「ＹＥＳ」と「ＮＯ」のいずれかをリモコン操作によって選択すると、受信装置３０は「ＹＥＳ」と「ＮＯ」用に二つ用意された電話番号のいずれかに自動的に電話をかける処理を行う（ステップＳ１）。
【００２９】
そして、モデム２２を用いて、回線入力にキャリア信号が存在するか否かを検出し（ステップＳ２）、キャリア信号が検出されればモデム本来の処理を実行するが（ステップＳ３）、キャリア信号が存在しないときには一般電話と判断して回線入力音声信号をスピーカー出力端子から音声認識回路２３に与える処理を行う（ステップＳ４）。
【００３０】
ＣＰＵ１３は、音声認識処理回路２３による処理によって得られたフレーズデータがハードディスク１４ｂに登録された音声ガイダンスとして存在するかを検索する（ステップＳ５）。フレーズデータがハードディスク１４ｂに存在すれば（ステップＳ６でＹＥＳ）、回線切断法が自動か手動かを半導体メモリ１４ａに格納してあるユーザー設定情報に基づいて判断し（ステップＳ７）、自動切断に設定されていれば自動切断を実行し（ステップＳ８）、切断完了のメッセージをＯＳＤ表示回路１２を用いて画面表示する（ステップＳ９）。
【００３１】
一方、フレーズデータがハードディスク１４ｂに存在しない場合（ステップＳ６でＮＯ）及び手動切断に設定されている場合（ステップＳ７でＮＯ）は、フレーズデータを文字化し、この文字を例えば図５に示すように画面表示し（ステップＳ１０）、ユーザーによる回線断処理の指令を待って回線断処理を実行する（ステップＳ１１）。そして、切断完了のメッセージとともに上記フレーズを音声ガイダンスとして新規登録するのかを問う画面をＯＳＤ表示回路１２を用いて表示し（ステップＳ１２）、ユーザーによる登録指示があれば、ハードディスク１４ｂに上記フレーズデータを音声ガイダンスの一つとして新規登録する処理を行う（ステップＳ１３）。
【００３２】
なお、音声認識処理回路２３による処理によって得られたフレーズデータが「受け付けました。ありがとうございます。」であり、ハードディスク１４ｂに登録されているフレーズデータが「受け付けました。」であるなど、一部一致の場合にも登録音声ガイダンスであると判断して、自動切断を行うようにしてもよいものである。
【００３３】
【発明の効果】
以上説明したように、この発明によれば、予め登録されている音声ガイダンスを回線入力した時点で回線断処理を行うことができ、放送局の電話機側で受話器を下ろすことに相当する処理を実行する前に電話機を使用できる状態とすることができる。また、回線入力した音声ガイダンスの文字を画面表示して手動による回線断を促す構成においても、放送局の電話機側で受話器を下ろすことに相当する処理を実行する前に電話機を使用できる状態とすることができるという効果を奏する。
【図面の簡単な説明】
【図１】この発明の実施形態のディジタル放送受信装置を示すブロック図である。
【図２】ディジタル放送受信装置において双方向サービスを実行する場合の放送局側との回線経路を模式的に示した説明図である。
【図３】電話回線の切断方法の設定画面を示した説明図である。
【図４】この発明の処理内容の一例を示したフローチャートである。
【図５】音声ガイダンスの文字化表示画面を示した説明図である。
【符号の説明】
１    アンテナ
２    チューナ
３    デマルチプレクサ（ＤＥＭＵＸ）
４    ＡＶデコーダ
１０  リモコン送信機
１３  ＣＰＵ
１４  記憶部
２２  モデム
２３  音声認識回路
【図１】
0003913500.tif 000002
【図２】
0003913500.tif 000003
【図３】
0003913500.tif 000004
【図４】
0003913500.tif 000005
【図５】
0003913500.tif 000006